(57)【要約】  本発明の実施形態による位置基盤メッセージ送受信システムは、特定地域の位置情報とユーザによって作成されたメッセージとをサーバに伝送する端末機と、特定地域に伝送されたメッセージを受信するためのメッセージ受信アプリケーションを備え、メッセージ受信アプリケーションの実行によって、自分の位置情報をサーバに伝送して、サーバから受信されるメッセージを画面に出力するモバイル端末機と、端末機から受信されたメッセージ及び地域の位置情報を保存し、モバイル端末機から受信された位置情報を用いて、モバイル端末機の位置が、端末機から受信された地域の位置から設定された半径内に該当するかを確認して、端末機から受信されたメッセージをモバイル端末機に伝送するサーバと、を含む。
2013539296.tif 000002
【特許請求の範囲】
【請求項１】
特定地域の位置情報とユーザによって作成されたメッセージとをサーバに伝送する端末機と、
特定地域に伝送されたメッセージを受信するためのメッセージ受信アプリケーションを備え、メッセージ受信アプリケーションの実行によって、自分の位置情報をサーバに伝送して、サーバから受信されるメッセージを画面に出力するモバイル端末機と、
端末機から受信されたメッセージ及び地域の位置情報を保存し、モバイル端末機から受信された位置情報を用いて、モバイル端末機の位置が、端末機から受信された地域の位置から設定された半径内に該当するかを確認して、端末機から受信されたメッセージをモバイル端末機に伝送するサーバと、
を含む位置基盤メッセージ送受信システム。
【請求項２】
前記端末機、モバイル端末機、及びサーバは、移動通信ネットワークのデータネットワークまたは無線インターネットを通じて通信を行う請求項１に記載の位置基盤メッセージ送受信システム。
【請求項３】
前記サーバは、
前記端末機から受信されたメッセージが伝送される半径及びメッセージの生存時間によって、端末機のユーザにメッセージ伝送料金を課金する請求項１または２に記載の位置基盤メッセージ送受信システム。
【請求項４】
前記サーバは、
前記メッセージ受信アプリケーションをＡＰＩ（Ａｐｐｌｉｃａｔｉｏｎ  Ｐｒｏｇｒａｍｍｉｎｇ  Ｉｎｔｅｒｆａｃｅ）化して生成されたメッセージ受信ＡＰＩを保存する請求項３に記載の位置基盤メッセージ送受信システム。
【請求項５】
前記メッセージ受信ＡＰＩは、モバイル端末機で実行される多数のアプリケーションに搭載されて実行される請求項４に記載の位置基盤メッセージ送受信システム。
【請求項６】
前記サーバは、
前記メッセージ受信ＡＰＩが搭載された多数のアプリケーションの開発者情報をさらに保存する請求項５に記載の位置基盤メッセージ送受信システム。
【請求項７】
前記サーバは、
前記多数のアプリケーションの開発者に、端末機のユーザに課金されたメッセージ伝送料金による収益を分配する請求項６に記載の位置基盤メッセージ送受信システム。
【請求項８】
端末機が、特定地域の位置情報とユーザによって作成されたメッセージとをサーバに伝送する段階と、
サーバが、端末機から受信されたメッセージ及び地域の位置情報を保存する段階と、
モバイル端末機が、特定地域に伝送されたメッセージを受信するためのメッセージ受信アプリケーションを実行させて、自分の位置情報をサーバに伝送する段階と、
サーバが、モバイル端末機から受信された位置情報を用いて、モバイル端末機の位置が、端末機から受信された地域の位置から設定された半径内に該当するかを確認して、端末機から受信されたメッセージをモバイル端末機に伝送する段階と、
モバイル端末機が、サーバから受信されるメッセージを画面に出力する段階と、
を含む位置基盤メッセージ送受信方法。
【請求項９】
前記端末機、モバイル端末機、及びサーバは、移動通信ネットワークのデータネットワークまたは無線インターネットを通じて通信を行う請求項８に記載の位置基盤メッセージ送受信方法。
【請求項１０】
前記サーバが、前記端末機から受信されたメッセージが伝送される半径及びメッセージの生存時間によって、端末機のユーザにメッセージ伝送料金を課金する段階をさらに含む請求項８または９に記載の位置基盤メッセージ送受信方法。
【請求項１１】
前記サーバは、
前記メッセージ受信アプリケーションをＡＰＩ化して生成されたメッセージ受信ＡＰＩを保存する請求項１０に記載の位置基盤メッセージ送受信方法。
【請求項１２】
前記メッセージ受信ＡＰＩは、モバイル端末機で実行される多数のアプリケーションに搭載されて実行される請求項１１に記載の位置基盤メッセージ送受信方法。
【請求項１３】
前記サーバは、
前記メッセージ受信ＡＰＩが搭載された多数のアプリケーションの開発者情報をさらに保存する請求項１２に記載の位置基盤メッセージ送受信方法。
【請求項１４】
前記サーバが、前記多数のアプリケーションの開発者に、端末機のユーザに課金されたメッセージ伝送料金による収益を分配する段階をさらに含む請求項１３に記載の位置基盤メッセージ送受信方法。
【発明の詳細な説明】
【技術分野】
【０００１】
本発明は、位置基盤メッセージ送受信システム及びその方法に係り、より詳細には、地域を特定してメッセージを伝送し、特定地域に進入したモバイル端末機にメッセージを伝送する技術に関する。
【背景技術】
【０００２】
短文メッセージサービス（Ｓｈｏｒｔ  Ｍｅｓｓａｇｅ  Ｓｅｒｖｉｃｅ；以下、ＳＭＳと称する）は、着信端末機の通話状態如何に関係なく、制限された長さの文字メッセージをインターネットを通じてコンピュータからモバイル端末機またはモバイル端末機間に伝達するサービスを言う。モバイル端末機の画面に８０Ｂｙｔｅ前後の文字を伝送しうるＳＭＳは、個人的な用途から企業型用途に至るまで使用範囲が拡張されて、利用率が爆発的に高まりつつある。すなわち、最近のＳＭＳは、単純な個人間のメッセージ伝送の次元を超え、グループ（Ｇｒｏｕｐ）間の伝送、予約伝送、電子メール到着通報、個人情報管理、証券情報報知、商品情報報知、金融情報報知など非常に多様な用途として幅広く使われている。
【０００３】
しかし、このようなＳＭＳは、受信される相手が特定されて伝送されるが、任意の地域に位置する不特定の相手には伝送されていない。
【発明の概要】
【発明が解決しようとする課題】
【０００４】
本発明は、任意の地域に位置した不特定の相手にメッセージを送信し、当該地域に位置した不特定の相手のメッセージ受信を可能にした位置基盤メッセージ送受信システム及びその方法が提案される。
【課題を解決するための手段】
【０００５】
本発明の一態様による位置基盤メッセージ送受信システムは、特定地域の位置情報とユーザによって作成されたメッセージとをサーバに伝送する端末機と、特定地域に伝送されたメッセージを受信するためのメッセージ受信アプリケーションを備え、メッセージ受信アプリケーションの実行によって、自分の位置情報をサーバに伝送して、サーバから受信されるメッセージを画面に出力するモバイル端末機と、端末機から受信されたメッセージ及び地域の位置情報を保存し、モバイル端末機から受信された位置情報を用いて、モバイル端末機の位置が、端末機から受信された地域の位置から設定された半径内に該当するかを確認して、端末機から受信されたメッセージをモバイル端末機に伝送するサーバと、を含む。
【０００６】
前記端末機、モバイル端末機、及びサーバは、移動通信ネットワークのデータネットワークまたは無線インターネットを通じて通信を行うことができる。
【０００７】
前記サーバは、前記端末機から受信されたメッセージが伝送される半径及びメッセージの生存時間によって、端末機のユーザにメッセージ伝送料金を課金することができる。
【０００８】
前記サーバは、前記メッセージ受信アプリケーションをＡＰＩ（Ａｐｐｌｉｃａｔｉｏｎ  Ｐｒｏｇｒａｍｍｉｎｇ  Ｉｎｔｅｒｆａｃｅ）化して生成されたメッセージ受信ＡＰＩを保存することができる。
【０００９】
前記メッセージ受信ＡＰＩは、モバイル端末機で実行される多数のアプリケーションに搭載されて実行可能である。
【００１０】
前記サーバは、前記メッセージ受信ＡＰＩが搭載された多数のアプリケーションの開発者情報をさらに保存することができる。
【００１１】
前記サーバは、前記多数のアプリケーションの開発者に、端末機のユーザに課金されたメッセージ伝送料金による収益を分配することができる。
【００１２】
本発明の他の態様による位置基盤メッセージ送受信方法は、端末機が、特定地域の位置情報とユーザによって作成されたメッセージとをサーバに伝送する段階と、サーバが、端末機から受信されたメッセージ及び地域の位置情報を保存する段階と、モバイル端末機が、特定地域に伝送されたメッセージを受信するためのメッセージ受信アプリケーションを実行させて、自分の位置情報をサーバに伝送する段階と、サーバが、モバイル端末機から受信された位置情報を用いて、モバイル端末機の位置が、端末機から受信された地域の位置から設定された半径内に該当するかを確認して、端末機から受信されたメッセージをモバイル端末機に伝送する段階と、モバイル端末機が、サーバから受信されるメッセージを画面に出力する段階と、を含む。
【００１３】
前記位置基盤メッセージ送受信方法は、前記サーバが、前記端末機から受信されたメッセージが伝送される半径及びメッセージの生存時間によって、端末機のユーザにメッセージ伝送料金を課金する段階をさらに含みうる。
【００１４】
前記位置基盤メッセージ送受信方法は、前記サーバが、前記多数のアプリケーションの開発者に、端末機のユーザに課金されたメッセージ伝送料金による収益を分配する段階をさらに含みうる。
【発明の効果】
【００１５】
本発明の実施形態による位置基盤メッセージ送受信システム及びその方法によれば、端末機が、特定地域の位置情報及び作成されたメッセージをサーバに伝送し、モバイル端末機が、自分の位置情報をサーバに伝送し、サーバが、モバイル端末機から受信された位置情報を用いて、モバイル端末機の位置が、端末機から受信された地域の位置から設定された半径内に該当するかを確認して、端末機から受信されたメッセージをモバイル端末機に伝送することによって、任意の地域に位置した不特定の相手にも、ＳＭＳのようなメッセージを伝送することができる。
【図面の簡単な説明】
【００１６】
【図１】本発明の実施形態による位置基盤メッセージ送受信システムの構成を示す図である。
【図２】本発明の実施形態による位置基盤メッセージ送受信方法についてのフローチャートを示す図である。
【発明を実施するための形態】
【００１７】
以下、添付した図面を参照して、本発明の実施形態を詳しく説明する。本発明の実施形態を説明するに当たって、関連した公知機能または構成についての具体的な説明が、本発明の要旨を不明にする恐れがあると判断される場合には、その詳細な説明を省略する。また、後述する用語は、本発明での機能を考慮して定義された用語であって、これは、ユーザ、運用者の意図または慣例などによって変わりうる。したがって、その定義は、本明細書の全般に亘った内容に基づいて下されなければならない。
【００１８】
図１は、本発明の実施形態による位置基盤メッセージ送受信システムの構成を示す図である。
【００１９】
示したように、位置基盤メッセージ送受信システムは、端末機１０、モバイル端末機２０、及びサーバ３０を含む。
【００２０】
端末機１０は、特定地域の位置情報とユーザによって作成されたメッセージ、例えば、短文メッセージ（ＳＭＳ）をサーバ３０に伝送する。この際、端末機１０は、有線電話機のような有線端末機または携帯電話、スマートフォンのようなモバイル端末機であり得る。端末機１０のユーザは、端末機１０の画面に表示される検索窓にメッセージを伝送するために地域を検索し、該検索の結果のうち、地域を選択することによって、メッセージを伝送する地域の位置を特定することができる。
【００２１】
モバイル端末機２０は、特定地域に伝送されたメッセージを受信するためのメッセージ受信アプリケーション２１を備え、メッセージ受信アプリケーション２１の実行によって、モバイル端末機２０の位置情報をサーバ３０に伝送して、サーバ３０から受信されるメッセージを画面に出力する。このような端末機１０、モバイル端末機２０、及びサーバ３０が連結されているネットワークは、移動通信ネットワークのデータネットワークまたは無線インターネットであり得る。
【００２２】
サーバ３０は、端末機１０から受信されたメッセージ及び地域の位置情報を保存し、該保存された地域の位置から設定された半径内に進入したモバイル端末機２０に、前記保存されたメッセージを伝送する。すなわち、サーバ３０は、モバイル端末機２０から受信された位置情報を用いて、モバイル端末機２０の位置が、端末機１０から受信された地域の位置から設定された半径内に該当するかを確認して、該当する場合、端末機１０から受信されたメッセージをモバイル端末機２０に伝送する。
【００２３】
一方、サーバ３０は、端末機１０から受信されたメッセージが伝送される半径及びメッセージの生存時間によって、端末機１０のユーザにメッセージ伝送料金を課金することができる。これにより、サーバ３０の運用者は、収益を上げることができる。
【００２４】
また、サーバ３０は、特定地域に伝送されたメッセージを受信するためのメッセージ受信アプリケーションをＡＰＩ化して生成されたメッセージ受信ＡＰＩ３１を保存することができる。このようなメッセージ受信ＡＰＩ３１は、モバイル端末機２０で実行される多数のアプリケーションに搭載されて実行可能である。これにより、モバイル端末機でメッセージ受信ＡＰＩを搭載したアプリケーションが実行される場合、メッセージ受信ＡＰＩを搭載したアプリケーションが実行されるモバイル端末機が位置した地域に伝送されたメッセージが、アプリケーションが実行されるモバイル端末機の画面に出力されうる。一方、サーバ３０は、メッセージ受信ＡＰＩを搭載したアプリケーション開発者情報３２を保存することができる。サーバ３０の運用者は、メッセージが伝送される半径及びメッセージの生存時間によって、課金されたメッセージ伝送料金で発生する収益をメッセージ受信ＡＰＩを搭載したアプリケーションの開発者に分配することができる。
【００２５】
図２は、本発明の実施形態による位置基盤メッセージ送受信方法についてのフローチャートを示す図である。
【００２６】
示したように、端末機は、特定地域の位置情報とユーザによって作成されたメッセージ、例えば、ＳＭＳをサーバに伝送する（ステップＳ１）。この際、端末機は、有線電話機のような有線端末機または携帯電話、スマートフォンのようなモバイル端末機であり得る。端末機のユーザは、端末機の画面に表示される検索窓にメッセージを伝送するために地域を検索し、該検索の結果のうち、地域を選択することによって、メッセージを伝送する地域の位置を特定することができる。
【００２７】
サーバは、端末機から受信されたメッセージ及び地域の位置情報を保存する（ステップＳ２）。
【００２８】
引き続き、モバイル端末機は、特定地域に伝送されたメッセージを受信するためのメッセージ受信アプリケーションの実行によって、モバイル端末機の位置情報をサーバに伝送する（ステップＳ３）。
【００２９】
サーバは、モバイル端末機から受信された位置情報を用いて、モバイル端末機の位置が、端末機から受信された地域の位置から設定された半径内に該当するかを確認して、該当する場合、端末機から受信されたメッセージをモバイル端末機に伝送する（ステップＳ４、ステップＳ５）。このような端末機、モバイル端末機、及びサーバは、移動通信ネットワークのデータネットワークまたはＷｉＦｉなどの無線インターネットを通じて通信を行うことができる。
【００３０】
一方、サーバは、端末機から受信されたメッセージが伝送される半径及びメッセージの生存時間によって、端末機のユーザにメッセージ伝送料金を課金することができる。これにより、サーバの運用者は、収益を上げることができる。
【００３１】
また、サーバは、メッセージ受信ＡＰＩを保存することができる。このようなメッセージ受信ＡＰＩは、モバイル端末機で実行される多数のアプリケーションに搭載されて実行可能である。これにより、モバイル端末機でメッセージ受信ＡＰＩを搭載したアプリケーションが実行される場合、メッセージ受信ＡＰＩを搭載したアプリケーションが実行されるモバイル端末機が位置した地域に伝送されたメッセージが、アプリケーションが実行されるモバイル端末機の画面に出力されうる。一方、サーバは、メッセージ受信ＡＰＩを搭載したアプリケーションの開発者情報を保存することができる。サーバの運用者は、メッセージが伝送される半径及びメッセージの生存時間によって、課金されたメッセージ伝送料金で発生する収益をメッセージ受信ＡＰＩを搭載したアプリケーションの開発者に分配することができる。
【００３２】
以上、本発明について実施形態を中心に説明した。当業者ならば、本発明の本質的な特性から外れない範囲内で変形された形態で具現可能であるということを理解できるであろう。したがって、開示された実施形態は、限定的な観点ではなく、説明的な観点で考慮されなければならない。したがって、本発明の範囲は、前述した実施形態に限定されず、特許請求の範囲に記載の内容及びそれと同等な範囲内にある多様な実施形態が含まれるように解釈しなければならない。
【産業上の利用可能性】
【００３３】
本発明は、位置基盤メッセージ送受信システム及びその方法関連の技術分野に適用可能である。
【符号の説明】
【００３４】
１０  端末機
２０  モバイル端末機
２１  メッセージ受信アプリケーション
３０  サーバ
３１  メッセージ受信ＡＰＩ
３２  アプリケーション開発者情報
【図１】
2013539296.tif 000003
【図２】
2013539296.tif 000004
【国際調査報告】
2013539296.tif 000005
2013539296.tif 000006